(57)【要約】【課題】テレビの音声出力端子から補聴器に音声信号を送信した場合において、前記音声出力端子とテレビのスピーカからの音声出力に時間的ズレがあった場合でも違和感無くテレビを視聴できることを目的とする。【解決手段】テレビに接続し音声を送信する送信装置と、前記送信装置から送信された音声信号を受信する受信部と、音を収集するマイクと、前記マイクと前記受信部それぞれの音声信号を合成または切替を行う音声信号選択部と、その音声選択部からの出力に補聴処理を行う補聴処理部と、その補聴処理部から出力された音声信号を出力するレシーバとを備えた補聴器において、前記マイクと前記受信部から入力された音声信号を入力し、それぞれの音声信号から遅延時間を算出する遅延量算出部と、前記遅延量算出部で算出された遅延量に応じて前記受信部で受信した音声信号を遅らせる遅延処理部を有することで、それぞれの音声信号の遅延を解消する構成とした。【選択図】図１
2012005005.tif 000002
【特許請求の範囲】
【請求項１】
音声信号を入力するための入力部と、
前記入力部から入力された音声信号を送信する送信部とを有する送信装置と、
周囲の音声を拾い音声信号として出力するマイクと、
前記送信装置から送信された音声信号を受信する受信部と、
前記マイクと前記受信部の出力に接続され、それぞれの音声信号を合成または切替を行う音声信号選択部と、
その音声選択部からの出力に補聴処理を行う補聴処理部と、
その補聴処理部から出力された音声信号を出力するレシーバとを備えた補聴器において、
前記マイクから入力された音声信号と前記受信部から入力された音声信号を入力し、それぞれの音声信号から遅延時間を算出する遅延量算出部と、
前記遅延量算出部で算出された遅延量に応じて前記受信部で受信した音声信号を遅らせる遅延処理部を有することを特徴とする補聴器システム。
【請求項２】
前記遅延量算出部は、
前記マイクから出力された音声信号からピークを検出する第一のピーク検出部と、
前記受信部から出力された音声信号からピークを検出する第二のピーク検出部と、
前記第一のピーク検出部と前記第二のピーク検出部の結果から遅延量を算出する遅延検出部を有することを特徴とする請求項１記載の補聴器システム。
【請求項３】
前記遅延処理部は、前記受信部から出力された音声信号を一時的に保持するバッファメモリと、前記遅延量に応じてこのバッファメモリに保持されている音声信号を出力する遅延制御部を有することを特徴とする請求項１記載の補聴器システム。
【請求項４】
前記遅延量算出部は、
パターンマッチング法により遅延量を算出することを特徴とする請求項１記載の補聴器システム。
【発明の詳細な説明】
【技術分野】
【０００１】
本発明は、テレビに搭載されているオーディオ出力端子からの出力音を補聴器に送信することでテレビの音を聞きやすくする補聴器システムに関する。
【背景技術】
【０００２】
補聴器は、マイクにより入力された音声に対して増幅処理を行い、その後レシーバから増幅された音声を出力することで、難聴者にも聞こえやすくするものである。
【０００３】
しかし、テレビやラジオなどの音声を高音質で聞きたい場合には、テレビやラジオのスピーカから出力された音を、補聴器のマイクで拾うのではなく、その音声を直接補聴器に入力することが望ましい。
【０００４】
そこで、テレビやラジオ等の音声出力端子に接続し、その音声信号を無線で送信する送信機と、その無線を通じて受信した音声を補聴器のレシーバから出力する補聴器システムが知られている（例えば、特許文献１参照）。
【先行技術文献】
【特許文献】
【０００５】
【特許文献１】特開２００９−１０００２３号公報
【発明の概要】
【発明が解決しようとする課題】
【０００６】
上記従来例における補聴器システムにおいては、テレビやラジオの音声信号を無線通信を通じて直接補聴器に届けるようになるので、テレビやラジオの音声信号を高音質で聞くことができるものとなる。
【０００７】
テレビと送信機を接続するには、イヤホン端子に接続する方法と、モニタ出力端子の音声出力端子に接続する方法があるが、健聴者と共にテレビを視聴するには、テレビのスピーカからも音声が出力されるモニタ出力端子の音声出力端子に接続する必要がある。
【０００８】
しかしながら、近年のプラズマや液晶パネルを用いた薄型ハイビジョンテレビにおいては、デジタル放送やＤＶＤなどの映像を表示するまでに、ＩＰ変換処理や各種高画質化のためのデジタル画像処理などに時間がかかるため、モニタ出力端子の音声出力端子から出力される音声より、テレビ自身のスピーカから出力される音声が遅れてしまう場合がある。
【０００９】
この場合、テレビの音声出力端子から送信機を用いて補聴器に送った音声より、テレビのスピーカから出力される音声が遅れて再生されるため、例えば、片耳のみに補聴器を装用している難聴者にとっては、左右の耳にはそれぞれずれた音声が入ってくるようになり違和感の強いものとなる。
【００１０】
そこで、本発明はテレビからの音声出力端子とスピーカから出力される音声に時間的な差異があっても、聞きやすくする補聴器システムを提供することを目的とするものである。
【課題を解決するための手段】
【００１１】
そしてこの目的を達成するために、音声信号を入力するための入力部と、前記入力部から入力された音声信号を送信する送信部とを有する送信装置と、周囲の音声を拾い音声信号として出力するマイクと、前記送信装置から送信された音声信号を受信する受信部と、前記マイクと前記受信部の出力に接続され、それぞれの音声信号を合成または切替を行う音声信号選択部と、その音声選択部からの出力に補聴処理を行う補聴処理部と、その補聴処理部から出力された音声信号を出力するレシーバとを備えた補聴器において、前記マイクから入力された音声信号と前記受信部から入力された音声信号を入力し、それぞれの音声信号から遅延時間を算出する遅延量算出部と、前記遅延量算出部で算出された遅延量に応じて前記受信部で受信した音声信号を遅らせる遅延処理部を有し、前記マイクから入力された音声と、前記受信部から入力された音声との時間的ずれを補正する構成とし、これにより所期の目的を達成するものである。
【発明の効果】
【００１２】
以上のように本発明は、音声信号を入力するための入力部と、前記入力部から入力された音声信号を送信する送信部とを有する送信装置と、周囲の音声を拾い音声信号として出力するマイクと、前記送信装置から送信された音声信号を受信する受信部と、前記マイクと前記受信部の出力に接続され、それぞれの音声信号を合成または切替を行う音声信号選択部と、その音声選択部からの出力に補聴処理を行う補聴処理部と、その補聴処理部から出力された音声信号を出力するレシーバとを備えた補聴器において、前記マイクから入力された音声信号と前記受信部から入力された音声信号を入力し、それぞれの音声信号から遅延時間を算出する遅延量算出部と、前記遅延量算出部で算出された遅延量に応じて前記受信部で受信した音声信号を遅らせる遅延処理部を有し、前記マイクから入力された音声と、前記受信部から入力された音声との時間的ずれを補正する構成としたものであるため、補聴器装用者にとって違和感無くテレビを視聴することができる。
【図面の簡単な説明】
【００１３】
【図１】本発明の実施の形態における補聴器システムの使用状態を示す図
【図２】補聴器システムのブロック図
【図３】遅延量算出部のブロック図
【図４】ピーク説明図
【図５】遅延量算出部のフローチャート
【図６】遅延処理部のブロック図
【発明を実施するための形態】
【００１４】
以下に、本発明の補聴器システムの一実施形態を図面とともに詳細に説明する。
【００１５】
（実施の形態１）
図１は、本発明の実施の形態１にかかる補聴器システムの使用状態を示す図である。テレビ１には、音声の出力として、モニタ出力端子の音声出力端子部２およびスピーカ２Ａが備えられている。音声出力端子部２にはＡＶケーブル３を経由して送信機４に接続しており、送信機４は音声出力端子部２から出力された音声信号を無線信号として出力を行い、補聴器５はその無線信号を受信して音声信号を装用者に聞こえる音として出力する。
【００１６】
このとき、前述の通りテレビ１は、デジタル放送やＤＶＤなどの映像を表示するまでに、ＩＰ変換処理や各種高画質化のためのデジタル画像処理などに時間がかかるため、音声出力端子部２から出力される音声より、テレビ自身のスピーカ２Ａから出力される音声が遅れてしまう場合があり、補聴器装用者にとっては、違和感の強いものとなる。
【００１７】
図２は、送信機４及び補聴器５のブロック図である。送信機４には、テレビ１からの音声信号を入力する入力部６と、その音声信号を無線信号として出力する送信部７とを備えている。
【００１８】
補聴器５は、周囲の音を拾いアナログ音声信号として出力するマイク８と、その音声信号をアナログからデジタルに変換するＡ／Ｄ変換器９と、送信機４からの無線信号を受信する受信部１０と、受信部１０で受信したアナログ音声信号をデジタルに変換するＡ／Ｄ変換器１１と、Ａ／Ｄ変換器９及びＡ／Ｄ変換器１１から出力されたデジタル音声信号を入力し、それぞれのデジタル音声信号から時間的遅延量を算出する遅延量算出部１２と、遅延量算出部１２で算出された遅延量を入力しＡ／Ｄ変換器１１から出力されたデジタル音声信号をその遅延量遅らせて出力する遅延処理部１３と、Ａ／Ｄ変換器９及び遅延処理部１３からのデジタル音声信号を合成または切替えて出力する音声信号選択部１４と、そのデジタル音声信号に対し装用者の聴力特性に合わせて信号処理する補聴処理部１５と、補聴処理部１５から出力されたデジタル音声信号をアナログ音声信号に変換するＤ／Ａ変換器１６と、Ｄ／Ａ変換器１６から出力されたアナログ音声信号を装用者に聞こえる音として出力するレシーバ１７を備えた構成としている。
【００１９】
次に、遅延量算出部１２を、図３のブロック図、図４の振幅のピーク説明図、図５のフローチャートを用いて説明する。
【００２０】
遅延量算出部１２は、Ａ／Ｄ変換器９から出力されたデジタル音声信号から振幅のピークを検出するピーク検出部１９と、Ａ／Ｄ変換器１１から出力されたデジタル音声信号から振幅のピークを検出するピーク検出部１８と、ピーク検出部１８とピーク検出部１９それぞれで検出したピークの時間的ズレ量を検出する遅延検出部２０を備えている。ピークとは図４に示すとおり、所定の時間内において振幅が最も高い波形をピークとしている。すなわち、遅延量算出部１２の動きとしては、受信部１０から入力された音声信号とマイク８から入力された音声信号それぞれで検出したピークを抽出し、そのそれぞれのピークを同じ波形と判断し、その時間的ズレ量を遅延量として出力するのである。
【００２１】
遅延量算出部１２の処理の流れを図５を用いて説明する。まずは、遅延検出処理をスタート（Ｓ００１）した後、受信部１０から入力された音声信号は、ピーク検出部１８に入力され、その音声信号のピークを検出（Ｓ００２）する。ピークを検出した場合は、カウント値を初期化しカウントを開始する（Ｓ００３）。このカウント値は、時間と共に加算されていくものである。次にマイク８から入力された音声信号は、ピーク検出部１９に入力され、その音声信号のピークを検出（Ｓ００４）する。この時、前述のカウントが示す値から遅延量として算出（Ｓ００５）され、その遅延量を遅延処理部１３に出力（Ｓ００６）した後遅延量算出部１２の処理が終了（Ｓ００７）する。
【００２２】
このような処理を行うことで、マイク８から入力されたテレビの音声と、受信部１０から入力されたテレビの音声の遅延量を算出することができる。
【００２３】
図６は、遅延処理部１３のブロック図である。
【００２４】
遅延処理部１３は、遅延量算出部１２から出力された遅延量が入力され、その遅延量に基づいてＡ／Ｄ変換器１１から出力されたデジタル音声信号を遅延させる制御を行う遅延制御部２１と、その遅延処理のために前記デジタル音声信号を所定の時間蓄えた後に出力するバッファメモリ２２とを備えている。具体的な遅延制御部２１の動作としては、Ａ／Ｄ変換器１１から出力されたデジタル音声信号は、一旦バッファメモリ２２に蓄えるように制御し、前記遅延量の時間が経過した後、その蓄えられているデジタル音声信号を順次出力していく。このような制御を行うことで、Ａ／Ｄ変換器９から出力されたデジタル音声信号と、Ａ／Ｄ変換器１１から出力されたデジタル音声信号の時間的ズレを解消することができる。
【００２５】
これにより、例えば、音声信号選択部１４で、Ａ／Ｄ変換器９から出力されたデジタル音声信号と、遅延処理部１３が出力するデジタル音声信号を合成して出力する場合においても、音声をズレ無く補聴器から出力することができ、また、音声信号選択部１４において、遅延処理部１３が出力するデジタル音声信号に切替えて出力した場合においても、補聴器を使用していない耳から入るテレビ１の音声とのズレを解消することができ、補聴器使用者にとって違和感無くテレビ１を視聴することができるものとなる。
【００２６】
なお、本実施の形態では、遅延量を算出するためにマイク８及び受信部１０から入力された音声信号それぞれのピークを検出しその時間差を求める方法を説明したが、その方法に限定されるものではなく、例えば、マイク８及び受信部１０から入力された音声信号の波形に対しパターンマッチングを用いて遅延量を算出しても良い。
【産業上の利用可能性】
【００２７】
以上のように、本発明の補聴器システムは、音声信号を入力するための入力部と、前記入力部から入力された音声信号を送信する送信部とを有する送信装置と、周囲の音声を拾い音声信号として出力するマイクと、前記送信装置から送信された音声信号を受信する受信部と、前記マイクと前記受信部の出力に接続され、それぞれの音声信号を合成または切替を行う音声信号選択部と、その音声選択部からの出力に補聴処理を行う補聴処理部と、その補聴処理部から出力された音声信号を出力するレシーバとを備えた補聴器において、前記マイクから入力された音声信号と前記受信部から入力された音声信号を入力し、それぞれの音声信号から遅延時間を算出する遅延量算出部と、前記遅延量算出部で算出された遅延量に応じて前記受信部で受信した音声信号を遅らせる遅延処理部を有し、前記マイクから入力された音声と、前記受信部から入力された音声との時間的ずれを補正する構成としたものであるため、補聴器装用者にとって違和感無くテレビを視聴することができるのである。
【符号の説明】
【００２８】
１  テレビ
２  音声出力端子部
２Ａ  スピーカ
３  ＡＶケーブル
４  送信機
５  補聴器
６  入力部
７  送信部
８  マイク
９  Ａ／Ｄ変換器
１０  受信部
１１  Ａ／Ｄ変換器
１２  遅延量算出部
１３  遅延処理部
１４  音声信号選択部
１５  補聴処理部
１６  Ｄ／Ａ変換器
１７  レシーバ
１８  ピーク検出部
１９  ピーク検出部
２０  遅延検出部
２１  遅延制御部
２２  バッファメモリ
【図１】
2012005005.tif 000003
【図２】
2012005005.tif 000004
【図３】
2012005005.tif 000005
【図４】
2012005005.tif 000006
【図５】
2012005005.tif 000007
【図６】
2012005005.tif 000008